(57)【要約】【課題】外出先でテレビ放送番組の視聴タイミングを逃すことがないようにする。【解決手段】デジタルカメラにテレビチューナを設け、モニタにテレビ放送の映像を表示する。視聴予約モードを有し、番組表をモニタに表示する。番組表に基づき、視聴したい放送番組を指定する。指定した放送番組の、放送開始日時、タイトル等を不揮発性メモリに書き込む。現在日時データと予告開始日時データとの照合を行い、両者が一致したときに、予告メッセージをモニタに表示する。また、音声及び振動によって予告があることをユーザに知らせる。放送開始前に予告メッセージが表示されるため、お気に入り登録した放送番組の視聴忘れがなくなる。【選択図】図９
2008187651.tif 000002
【特許請求の範囲】
【請求項１】
イメージセンサからの撮像信号を受けて画像表示器に画像表示を行う画像表示部と、前記イメージセンサからの撮像信号をシャッタレリーズ操作に応答して画像データに変換しメモリに記録する画像記録部と、テレビ放送電波を受信して前記画像表示器に映像を表示し放送番組を視聴可能にするテレビチューナ部とを有するデジタルカメラにおいて、
視聴したい番組を視聴予約として登録する視聴予約登録部と、
前記視聴予約登録部で登録された番組の放送開始前に、視聴を促すための予告メッセージを報知する予告メッセージ報知部とを備えることを特徴とするデジタルカメラ。
【請求項２】
前記視聴予約登録部は、電子番組表を取得する電子番組表取得部を有し、前記電子番組表に基づき視聴したい番組を視聴予約として登録することを特徴とする請求項１記載のデジタルカメラ。
【請求項３】
前記視聴予約登録部はお気に入り番組の登録部を有し、このお気に入り番組の登録部に視聴したい番組を視聴予約として登録することを特徴とする請求項１または２記載のデジタルカメラ。
【請求項４】
前記予告メッセージ報知部は、前記画像表示器に前記予告メッセージを表示することを特徴とする請求項１ないし３いずれか１項記載のデジタルカメラ。
【請求項５】
ビューファインダ表示部を有し、前記予告メッセージ報知部は前記予告メッセージを前記ビューファインダ表示部に表示することを特徴とする請求項１ないし４いずれか１項記載のデジタルカメラ。
【請求項６】
前記予告メッセージ報知部は、スピーカまたは振動器を有し、音または振動によって予告メッセージを報知することを特徴とする請求項１ないし５いずれか１項記載のデジタルカメラ。
【請求項７】
前記予告メッセージ報知部は、電源スイッチがオフされた状態で、前記予告メッセージ報知部を作動させるためのスタンバイ状態を保持するスタンバイ状態保持部を有することを特徴とする請求項１ないし６いずれか１項記載のデジタルカメラ。
【請求項８】
前記視聴予約登録部で複数の登録を行ったときに、前記予告メッセージ報知部は、前記予告メッセージを報知した後の一定時間内に操作入力が無く、且つ残りの視聴予約登録が無い場合に対応する視聴予約登録をキャンセルして電源をオフとし、前記予告メッセージを報知した後の一定時間内に操作入力が無く且つ残りの視聴予約登録がある場合に、対応する視聴予約登録をキャンセルして前記スタンバイ状態に戻ることを特徴とする請求項７記載のデジタルカメラ。
【請求項９】
イメージセンサからの撮像信号を受けて画像表示器に画像表示を行う画像表示部と、前記イメージセンサからの撮像信号をシャッタレリーズ操作に応答して画像データに変換しメモリに記録する画像記録部と、テレビ放送電波を受信して前記画像表示器に映像を表示し放送番組を視聴可能にするテレビチューナ部とを有するデジタルカメラの放送番組視聴予告方法において、
視聴したい番組が視聴予約として登録された視聴予約登録データの放送開始日時と、現在日時とに基づき、前記視聴予約された番組の放送開始前に、視聴を促すための予告メッセージを報知することを特徴とするデジタルカメラの放送番組視聴予告方法。
【発明の詳細な説明】
【技術分野】
【０００１】
本発明は、テレビ放送電波を受信して画像表示器に映像を表示するテレビ機能を有するデジタルカメラ及びこのデジタルカメラの放送番組視聴予告方法に関する。
【背景技術】
【０００２】
近年、デジタルカメラの普及及び進歩は著しく、例えば、テレビ放送を受信する機能や予約する機能を備えたデジタルカメラが提案されている（特許文献１または２参照）。また、簡単に楽曲登録作業が行えるテレビ受信機能及び撮像機能を有するデジタルカメラも提案されている（特許文献３参照）。
【特許文献１】特開２０００−２３００４号公報
【特許文献２】特開２００３−１７４５７６号公報
【特許文献３】特開２００４−２９７３２２号公報
【発明の開示】
【発明が解決しようとする課題】
【０００３】
上記のデジタルカメラでは、テレビ受像機を携帯することなく、デジタルカメラによってテレビ放送を視聴することができる。しかしながら、テレビ放送を外出先などで手軽に視聴することができる環境が得られるものの、撮影やその他のことに気を取られ、その視聴タイミングを逃してしまうことがあり、改善が求められていた。また、ＤＶＤレコーダ、ビデオレコーダなどの録画装置やテレビなどの固定端末では、電子番組表を用いて視聴予約することもできるが、デジタルカメラ等の携帯端末で視聴予約時間に自動的に放送番組の視聴を開始してしまうと、携帯端末では移動を前提としており、異動先においては視聴が不可の状況であったりして、単に視聴予約時間に自動的に視聴可能にしてしまうことは好ましくない。このため、ビデオレコーダなどの固定端末の視聴予約方法をそのままデジタルカメラに適用することができないという問題がある。
【０００４】
本発明は上記問題を解決するためのものであり、テレビ放送番組の視聴タイミングを逃すことがないようにし、且つ移動先でいなきりテレビ視聴状態にならないようにしたデジタルカメラ及び放送番組視聴予告方法を提供することを目的とする。
【課題を解決するための手段】
【０００５】
上記目的を達成するために、本発明のデジタルカメラでは、イメージセンサからの撮像信号を受けて画像表示器に画像表示を行う画像表示部と、前記イメージセンサからの撮像信号をシャッタレリーズ操作に応答して画像データに変換しメモリに記録する画像記録部と、テレビ放送電波を受信して前記画像表示器に映像を表示し放送番組を視聴可能にするテレビチューナ部とを有するデジタルカメラにおいて、視聴したい番組を視聴予約として登録する視聴予約登録部と、前記視聴予約登録部で登録された番組の放送開始前に、視聴を促すための予告メッセージを報知する予告メッセージ報知部とを備えることを特徴とする。
【０００６】
前記視聴予約登録部は、電子番組表を取得する電子番組表取得部を有し、前記電子番組表に基づき視聴したい番組を視聴予約として登録することを特徴とする。また、前記視聴予約登録部はお気に入り番組の登録部を有し、このお気に入り番組の登録部に視聴したい番組を視聴予約として登録することを特徴とする。
【０００７】
前記予告メッセージ報知部は、前記画像表示器に前記予告メッセージを表示することを特徴とする。また、ビューファインダ表示部を有し、前記予告メッセージ報知部は前記予告メッセージを前記ビューファインダ表示部に表示することを特徴とする。また、予告メッセージ報知部は、スピーカまたは振動器を有し、音または振動によって予告メッセージを報知することを特徴とする。
【０００８】
前記予告メッセージ報知部は、電源スイッチがオフされた状態で、予告メッセージ報知部を作動させるためのスタンバイ状態保持部を有することを特徴とする。また、前記視聴予約登録部で複数の登録を行ったときに、前記予告メッセージ報知部は、前記予告メッセージを報知した後の一定時間内に操作入力が無く、且つ残りの視聴予約登録が無い場合に対応する視聴予約登録をキャンセルして電源をオフとし、前記予告メッセージを報知した後の一定時間内に操作入力が無く且つ残りの視聴予約登録がある場合に、対応する視聴予約登録をキャンセルして前記スタンバイ状態に戻ることを特徴とする。
【０００９】
また、本発明は、イメージセンサからの撮像信号を受けて画像表示器に画像表示を行う画像表示部と、前記イメージセンサからの撮像信号をシャッタレリーズ操作に応答して画像データに変換しメモリに記録する画像記録部と、テレビ放送電波を受信して前記画像表示器に映像を表示し放送番組を視聴可能にするテレビチューナ部とを有するデジタルカメラの放送番組視聴予告方法において、視聴したい番組が視聴予約として登録された視聴予約登録データの放送開始日時と、現在日時とに基づき、前記視聴予約された番組の放送開始前に、視聴を促すための予告メッセージを報知することを特徴とする。
【発明の効果】
【００１０】
本発明によれば、視聴予約登録部により視聴したい番組を視聴予約として登録し、予告メッセージ報知部により、視聴予約登録部で登録された番組の放送開始前に予告メッセージを報知するようにしたから、予告メッセージにより視聴タイミングを忘れることなく、視聴したい番組を視聴することができる。また、予告メッセージを確認して、テレビ放送番組を視聴することができない場合には、視聴を中止することができ、視聴開始時間にテレビ機能が自動的にオンになり視聴予約した放送番組が自動的に表示されることもなくなる。
【発明を実施するための最良の形態】
【００１１】
図１に示す本発明のデジタルカメラ２は、カメラ本体３の前面中央にレンズ鏡筒４が配置されている。このレンズ鏡筒４は、ズーム光学系を構成するズームレンズ、オートフォーカス機構を構成するフォーカスレンズ、自動露出機構を構成する絞り機構、シャッタ機構等が組み込まれたもので、カメラ本体３内に収納される収納位置と、カメラ本体３の前面に設けられた鏡筒開口５から突出される突出位置との間で移動される。カメラ本体３の前面右上部には、撮影時に被写体に向けて光を照射するフラッシュ発光部６が設けられている。
【００１２】
カメラ本体３の上面には、電源ボタン１１、モードダイヤル１２、レリーズボタン１３が配置されている。電源ボタン１１は、例えば、押圧式の操作ボタンであり、デジタルカメラ２の電源のオン／オフを切り替える際に押圧操作される。電源ボタン１１の下方には、電源ボタン１１の押圧操作を検出する電源スイッチ１１ａ（図３参照）が組み込まれている。
【００１３】
モードダイヤル１２は回転式の操作ダイヤルであり、撮影モードの切り替えに用いられる。撮影モードには、撮影場面に応じて最適な撮影条件が自動的に設定される「ＡＵＴＯ」と、撮影場面に応じた最適な撮影条件が予め設定され、使用者（ユーザ）により選択可能にされた複数の「シーンポジション」の他、「絞り優先」や「シャッタ速度優先」、絞り及びシャッタ速度をユーザが選択する「マニュアル」等が設けられている。モードダイヤル１２の下方には、モードダイヤル１２の回転位置を検出するダイヤルスイッチ１２ａ（図３参照）が組み込まれている。
【００１４】
レリーズボタン１３は押圧式の操作ボタンであり、可動範囲の途中まで押すことができる半押し操作と、可動範囲の限界近傍まで押すことができる全押し操作の２段階の押圧操作を行なうことができる。カメラ本体３は、レリーズボタン１３が半押し操作されたときに露出調節及び焦点調節を行ない、全押し操作されたときに撮影動作を行なう。レリーズボタン１３の下方には、レリーズボタン１３の半押し操作及び全押し操作を検出するレリーズスイッチ１３ａ（図３参照）が組み込まれている。
【００１５】
図２に示すように、デジタルカメラ２の背面には、ズームボタン１４、メニューボタン１５、十字ボタン１６、選択ボタン１７、キャンセルボタン１８、再生ボタン１９、フラッシュボタン２０、テレビ視聴ボタン２１、視聴予約ボタン２２等の各種操作ボタンの他に、画像表示器としてのモニタ２３が設けられている。各ボタン１４〜２２の奥には、各ボタン１４〜２２の押圧操作を検出するスイッチ１４ａ〜２２ａがそれぞれ設けられている。モニタ２３は、カメラ本体３内に組み込まれて表示面が露呈されたＬＣＤパネルから構成されており、カメラモードでは、撮影時のスルー画像や、撮影済みの再生画像、各種設定メニューを表示する他に、テレビモードでは、視聴放送番組の表示、番組表の表示、各種設定メニューを表示する。
【００１６】
ズームボタン１４は、左右に並んで配置された一対の押圧式操作ボタンであり、ズーム操作に用いられる。ズームボタン１４の左側ボタンの操作により、ズームレンズは広角側に移動し、右側ボタンの操作により望遠側に移動する。
【００１７】
メニューボタン１５は押圧式の操作ボタンであり、設定メニューの呼び出しに用いられる。
【００１８】
十字ボタン１６は、円環状の操作部材を上下左右方向に４個に分断した押圧式の操作ボタンであり、各種設定時の項目選択や、モニタ２３の明るさ調整等に際して、対応する上下左右の対応キーを押すことにより、カーソルや表示枠を対応する方向に移動させる際に
に用いられる。また、再生モード時には左右方向の操作のみが可能になり、表示画像の切り替えに用いられる。
【００１９】
選択ボタン１７は、十字ボタン１６の内側に設けられた押圧式の操作ボタンであり、設定時のＯＫボタンとして用いられる。
【００２０】
キャンセルボタン１８は、十字ボタン１６の外側でその近くに設けられた押圧式の操作ボタンであり、各種操作時のキャンセルボタンとして用いられる。
【００２１】
再生ボタン１９は押圧式の操作ボタンであり、撮影済みの画像をモニタ２３に再生表示する再生モードのオン／オフの切り替えに用いられる。また、電源オフ状態で操作されることにより、再生モードで電源をオンさせることができる。この再生ボタン１９が撮影モード時に操作されると動作モードが再生モードに切り替えられ、再生モード時に操作されると撮影モードに切り替えられる。
【００２２】
フラッシュボタン２０は押圧式の操作ボタンであり、フラッシュ発光部６の発光モードの切り替えに用いられる。例えば、フラッシュボタン２０を押圧操作するごとに、被写体輝度に応じて発光する自動発光モード、被写体輝度に関係なく発光させる強制発光モード、発光させない発光禁止モード、赤目軽減モードなどに切り替えられる。
【００２３】
テレビ視聴ボタン２１は押圧式の操作ボタンであり、テレビ視聴モードのオン／オフの切り替えに用いられる。また、電源オフ状態で操作されることにより、テレビ視聴モードで電源をオンさせることができる。また、このテレビ視聴ボタン２１が撮影モードや再生モード、更にはテレビ視聴予約モード時に操作されると動作モードがテレビ視聴モードに切り替えられる。
【００２４】
視聴予約ボタン２２は押圧式の操作ボタンであり、テレビ視聴予約モードのオン／オフの切り替えに用いられる。また、電源オフ状態で操作されることにより、テレビ視聴予約モードで電源をオンさせることができる。また、この視聴予約ボタン２２が撮影モードや再生モード、テレビ視聴モード時に操作されると動作モードがテレビ視聴予約モードに切り替えられる。
【００２５】
デジタルカメラ２の側面には、メモリカード２４が挿入されるカードスロット２５が設けられている。撮影によって作成された画像データは、メモリカード２４に記憶される。
【００２６】
図３に示すように、レンズ鏡筒４内には、光軸方向で移動されるズームレンズ２６及びフォーカスレンズ２７と、絞り機構２８、シャッタ機構２９が組み込まれている。これらは、ズームモータ３０、フォーカスモータ３１、絞りモータ３２、シャッタモータ３３によって駆動される。また、モータ３０〜３３はドライバ３４〜３７によって駆動され、ドライバ３４〜３７はＣＰＵ３８によって制御される。
【００２７】
ＣＰＵ３８には、電源スイッチ１１ａ、ダイヤルスイッチ１２ａ、レリーズスイッチ１３ａ、ズームスイッチ１４ａ、メニュースイッチ１５ａ、十字スイッチ１６ａ、選択スイッチ１７ａ、キャンセルスイッチ１８ａ、再生スイッチ１９ａ、フラッシュスイッチ２０ａ、テレビ視聴スイッチ２１ａ、視聴予約スイッチ２２ａが接続されている。ＣＰＵ３８は、これらのスイッチ１１ａ〜２２ａの入力信号に応じてデジタルカメラ２の各部を制御する。
【００２８】
レンズ鏡筒４の背後には、イメージセンサとしてのＣＣＤ４０が配置されている。このＣＣＤ４０は、タイミングジェネレータ４１のタイミング信号に基づいて動作し、ズームレンズ２６及びフォーカスレンズ２７によって結像された被写体画像を撮像する。ＣＣＤ４０は、撮像後にアナログの撮像信号を生成して信号処理回路４２に入力する。
【００２９】
信号処理回路４２は、ＣＣＤ４０から入力されたアナログの撮像信号をノイズ処理、増幅処理、Ａ／Ｄ変換等を行なってデジタルの画像データに変換し、画像処理回路４３に入力する。このデジタルカメラ２では、信号処理回路４２でアナログ撮像信号の増幅率を変更することにより、いわゆる撮影感度の変更が可能になっている。撮影感度の設定には、１００〜３２００等のＩＳＯ感度を指定する設定や、被写体輝度に応じて自動的に変更されるオート設定があり、いずれかが指定される。撮影感度の設定は、メニューボタン１５による設定メニューの呼び出しにより変更することができる。
【００３０】
画像処理回路４３は、階調変換、ホワイトバランス補正、γ補正処理等の各種画像処理と、ＹＣ変換処理とを施す。ＹＣ変換処理により輝度信号と色差信号とに変換された画像データは、ＬＣＤドライバ４４に入力される。ドライバ４４は、入力された画像データに基づいてモニタ２３にスルー画像を表示させる。
【００３１】
モニタ２３はバックライト４５を有している。このバックライト４５は、ＣＰＵ３８によって制御されるドライバ４６によって駆動される。また、メニューボタン１５によってモニタ２３の明るさ設定が呼び出されたときに、十字ボタン１６の操作によって明るさが調整される。
【００３２】
ＡＥ／ＡＦ制御回路５０は、信号処理回路４２によって生成された画像データに基づいて被写体の適性露出を算出し、この適性露出に基づいて絞り機構２８及びシャッタ機構２９を制御する。また、画像データに基づいてフォーカスレンズ２７のピント位置を算出し、このピント位置にフォーカスレンズ２７を移動させる。
【００３３】
フラッシュ発光部６は、ＣＰＵ３８に制御されるフラッシュ制御回路５１によって駆動される。メディアコントローラ５２は、カードスロット２５に挿入されたメモリカード２４を制御して、画像データの書き込み及び読み出しを行なう。画像データの書き込みは、レリーズボタン１３が全押しされたときに行われる。
【００３４】
テレビチューナ６０は図示しないアンテナを有し、地上波デジタル放送を受信する。地上波デジタル放送では、１チャンネル６ＭＨｚの電波帯域を１３個に分割したものをセグメントと呼び、１セグメントで約３００〜４００ｋｂｐｓの容量がある。このうち、１２セグメントについては一般の地上波デジタル放送に使用され、残りの１セグメントが携帯端末向け放送（１セグ放送）に使用される。本実施形態では、この１セグ放送のテレビチューナ６０を用いており、受信した映像は、モニタ２３に表示される。また、受信した音声はドライバ６１を介してスピーカ６２から出力される。また、テレビチューナ６０は、電子番組表も受信する。なお、テレビチューナ６０は地上波アナログ放送を受信するものでもよい。
【００３５】
視聴予約登録部６４は、前記電子番組表を用いてお気に入り登録を行う。電子番組表は視聴予約モードが選択されているときにモニタ２３に表示される。視聴予約モードでは、一つの番組枠の色や文字が他の番組枠と異なる色で表示され、現在選択されている番組枠であることが示される。この状態で十字ボタン１６を操作して指定する番組枠を移動させることにより、十字ボタン１６の操作に対応した番組枠が色を変えて、指定された番組枠であることが判る。この番組枠内の番組を指定したい場合には、このとき選択ボタンとしてのメニューボタン１５を押すことにより、この番組枠内の番組がお気に入り登録される。
【００３６】
お気に入り登録された番組についての、放送日時、チャンネル番号、放送タイトル等のお気に入り登録データは、不揮発性メモリ（図示せず）に記憶される。なお、電子番組表を用いた予約方法やテレビチューナは一般的に知られており、例えば、特開２００６−２０３７５３号公報や特開２００６−２７０５０１号公報などに詳しく説明されている。
【００３７】
時計回路６６は、時計機能を備えており、現在日時をＣＰＵ３８の指令に応じて予告部６５に出力する。予告部６５は、不揮発性メモリに記憶されたお気に入り登録データの放送開始日時に基づき放送開始日時及び予告開始日時を特定する。そして、時計回路６６からの現在日時と、予め設定された予告開始日時（例えば放送開始日時の５分前）に達したときに、報知部６７に予告信号を出力する。なお、予告開始日時を特定するための予告開始時間は設定モードにおいて予め任意時間を指定することができ、例えば３０秒前〜１時間前の範囲で任意に設定が可能である。また、予告回数も任意に設定することができ、例えば２回を指定し、その予告開始日時を例えば３０秒前、５分前とすることにより、視聴忘れをより一層無くすことができる。これら予告部６５、時計回路６６、報知部６７により、予告メッセージ報知部６９が構成される。
【００３８】
報知部６７は、予告信号を受けたときにアラーム処理を行う。アラーム処理は、モニタ２３、スピーカ６２、更にはバイブレータ６８を用いて行われる。
【００３９】
モニタ２３を用いたアラーム処理では、図４に示すように、モニタ２３の表示画面７０に、使用者に視聴を促すための予告メッセージ７１が表示される。予告メッセージ７０は、例えば、タイトル７１ａ、放送時刻７１ｂ、放送時刻までの残り時間７１ｃ等から構成される。この表示を確認することにより、視聴忘れを無くすことができる。また、モニタ２３の他に、音声出力、振動出力を選択することにより、スピーカ６２による音声出力とバイブレータ６８による振動出力とにより予告が行われるため、視聴忘れがなくなる。なお、アラーム処理方法は、モニタ２３、スピーカ６２、バイブレータ６８のいずれか１つを選んでもよく、さらにはこれらを適宜組み合わせて選択してもよい。
【００４０】
図５に示すように、報知部６７は、モニタ２３の表示画面７２に、予告メッセージ７１の他に、「視聴→メニューボタンのオン、視聴しない→キャンセルボタンのオン」のような視聴確認メッセージ７３を表示する。
【００４１】
前記視聴確認メッセージ７３の表示画面のときに、メニューボタン１５が押されることにより、予告部６５は、報知部６７によるアラーム処理後のメッセージ確認操作に応じて、お気に入り登録された放送番組の放送開始時に合わせて、テレビ機能をなす各部の電源をオンにして、指定された放送番組の映像をモニタに表示するとともに、スピーカ６２により音声を出力し、放送番組の視聴を可能にする。
【００４２】
視聴確認メッセージ７３に対してキャンセルボタンが押されたときには、図５に示すように、キャンセルしてよいかどうかの再確認メッセージ７５をモニタ２３に表示し、この表示中に選択ボタンが押されたときに、対応するお気に入り登録された放送番組を取り消す操作がなされる。また、再確認メッセージ７５の表示中にキャンセルボタン１８が押されたときには、その前の表示に戻り、再度の操作入力待ちとなる。なお、所定時間が経過しても何らの操作が無い場合には、キャンセルボタン１８が押されたものとみなして、上記のキャンセル処理を行う。なお、設定モードにおいて、所定時間が経過しても何らの操作が無い場合の対処方法を予め任意に設定しておくことができ、逆パターンの設定も可能である。例えば、所定時間が経過しても何らの操作も無い場合に選択ボタン１７が押されたものとして視聴予約継続状態を維持する設定を行う。
【００４３】
ＲＯＭ８０には、ＣＰＵ３８がデジタルカメラ２を制御する際に用いられる制御プログラムが記憶されている。ＣＰＵ３８には、デジタルカメラ２の動作モードを制御するモード制御部８１が設けられており、このモード制御部８１は、各動作モードが選択されたときに対応する処理を行う。ＲＡＭ８２には、ＣＰＵ３８による各部の制御時に発生したデータが適宜記憶される。
【００４４】
前記モード制御部８１では、お気に入り登録データがある場合に、スタンバイ状態保持モードとなるように制御を行う。このスタンバイ状態保持モードでは、予告メッセージ報知部６９のスタンバイ状態保持部６９ａによって、電源がオフとされた状態でも、予告部６５、時計回路６６、報知部６７、ＣＰＵ３８等を動作可能状態として、時計回路６６からの現在日時と、お気に入り登録データの予告開始日時との照合を行っており、両者が一致したときに、ドライバ４４及びモニタ２３などを駆動して、予告表示を行う。また、報知部６７を介してスピーカ６２からアラーム音を発する。また、バイブレータ６８によりデジタルカメラ自体を振動させる。
【００４５】
また、モード制御部８１では、電源ボタン１１、再生ボタン１９、テレビ視聴ボタン２１、視聴予約ボタン２２の押圧操作を常時監視しており、これらボタンが操作されたときに対応するモードにデジタルカメラ２を設定する。
【００４６】
次に、図６〜図９のフローチャートを参照して、本実施形態の作用について説明する。図６に示すように、デジタルカメラ２は、電源オン操作により電源をオンにした後にモード判別処理を行い、判別したモードに移行する。電源オン操作としては、電源ボタン１１のオン操作の他に、再生ボタン、テレビ視聴ボタン、視聴予約ボタンのオン操作がある。電源ボタン１１が押されると、電源がオンにされて通常撮影モードで立ち上がる。この通常撮影モードではモニタ２３にスルー画像が表示される。この状態でレリーズボタン１３が押されることにより、ＡＥ／ＡＦ制御回路５０、フォーカスレンズ２７、絞り機構２８等による自動露出制御、オートフォーカス制御が行なわれて、画像データがメモリカード２４に記憶される。また、必要に応じてモードダイヤルを操作して、絞り優先モードやマニュアルモードなどが選択され、これら各モードにおいて撮影が行われる。
【００４７】
図７に示すように、電源オフの状態または通常撮影モードにおいて、再生ボタン１９が押されることにより、再生モードが立ち上げられる。そして、メモリカード２４から画像データが読み出され、これがモニタ２３に表示される。一定時間を経過しても何らの操作が行われない場合や、電源ボタン１１が押された場合には、お気に入り登録データの有無を判定し、お気に入り登録データが無い場合には通常の電源オフ処理が行われる。また、お気に入り登録データが有る場合には、スタンバイ状態が保持され、見かけ上の電源がオフにされる。このスタンバイ状態が保持されているときには、予告のための日時照合処理、予告処理、アラーム処理などが行われる。
【００４８】
図８に示すように、電源オフの状態または通常撮影モードにおいて、テレビ視聴ボタン２１が押されることにより、テレビ視聴モードが立ち上げられる。このテレビ視聴モードでは、放送データの取得、映像表示、音声出力が行われ、テレビ視聴が可能になり、前回視聴していたチャンネルの１セグ放送を視聴することができる。そして、番組を終了すると、映像表示及び音声出力が停止され、電源オフ処理後に電源がオフになる。なお、電源オフ処理では、他のお気に入り登録データが有る場合には、見かけ上の電源オフとなり、スタンバイ状態が保持されて、放送番組の開始日時の照合、予告処理、アラーム処理が行われる。また、メニューボタンや十字ボタンを操作することにより、所望のチャンネルに変更したり、音量を調節したり、その他の各種モード設定が可能になる。
【００４９】
図９に示すように、電源オフの状態または通常撮影モード、テレビ視聴モードにおいて、テレビ視聴予約ボタン２２が押されることにより、視聴予約モードとなる。この視聴予約モードでは、放送番組のお気に入り登録が可能になる。このお気に入り登録では、まず、放送電波から電子番組表データが取得される。そして、この電子番組表がモニタ２３に表示される。電子番組表は、例えば時刻を縦軸にチャンネルを横軸にした表であり、日付毎に表示される。番組表上の番組枠のひとつは他のものと比べて異なる地色で表示されており、この状態で選択ボタンが押されることにより、この番組枠の放送番組が指定される。指定する番組枠の変更は十字ボタン１６の操作により行われ、視聴したい番組枠の色を変えた後に選択ボタンを押すことにより、お気に入り登録が完了する。このお気に入り登録により、指定された番組枠の放送番組の放送開始日時、タイトル名などが不揮発性メモリに書き込まれる。お気に入り登録は複数可能である。なお、番組枠の特定は地色を変える他に、番組枠の色を変えたり、番組枠の線の太さを変えたりしてもよい。
【００５０】
上記お気に入り登録がなされ、お気に入り登録データが不揮発性メモリに書き込まれると、電源オフの状態となっても、スタンバイ状態保持モードとなり、時計回路６６による現在日時とお気に入り登録データの放送開始日時に基づく予告開始日時との照合を行う。そして、両者が一致したときに、モニタ２３に予告表示がなされる。このとき、報知部６７によりスピーカ６２からアラーム音がなり、同時にバイブレータ６８によりデジタルカメラ自体が振動する。
【００５１】
ユーザはこのアラーム処理によってお気に入り番組の放送開始時間が迫っていることを知ることができ、その場の状況に応じて、視聴するかしないかを決定し、選択ボタン１７またはキャンセルボタン１８を押すことができる。選択ボタン１７が押されることにより、視聴予約状態となり、視聴開始時間に合わせてテレビチューナ６０が作動して、お気に入り登録番組の映像がモニタ２３に表示され、またスピーカ６２から音声が出力される。これにより、お気に入り登録番組の放送を忘れることが無くなり、確実にお気に入り登録番組を視聴することができる。また、異動先の状況等により視聴しない場合にはキャンセルボタン１８が押されることにより、お気に入り番組の登録削除メッセージが表示され、これに応じて選択ボタン１７が押されることにより、お気に入り登録データが削除される。したがって、放送開始時間になってもテレビチューナ６０が作動することはなく、いきなりテレビ視聴モードになることが避けられる。
【００５２】
また、お気に入り登録が複数なされており、お気に入り登録が残っている場合には、スタンバイ状態保持モードに戻り、次のお気に入り登録に対して同様の予告処理がなされて、同様の処理が行われる。
【００５３】
なお、上記実施形態では、お気に入り登録を行うことで放送開始前に予告するようにしたが、通常の視聴予約登録に対して上記予告処理を行ってもよい。また、視聴予約登録とお気に入り登録とを有する場合には、お気に入り登録時のみに予告処理を行うようにし、視聴予約登録では予告処理することなく放送開始日時になったときに、テレビ視聴モードに自動的に入るように使い分けてもよい。
【００５４】
上記実施形態ではデジタルカメラ２を例にとって説明したが、デジタルカメラ機能とテレビ機能とを有する携帯電話や携帯端末に本発明を実施してもよい。さらには、デジタルカメラ機能がなくテレビ機能がある携帯電話や携帯端末に本発明を実施してもよい。
【００５５】
また、上記実施携帯ではモニタ２３に予告メッセージを表示するようにしたが、これに代えて、または加えて、接眼側ファインダ窓を有するビューファインダを有する場合には、このビューファインダの表示部に予告メッセージを表示してもよい。
【００５６】
また、上記実施形態では、予告メッセージを確認した後に、自動的に視聴予約モードとなり、放送開始時間にテレビ視聴モードとしてお気に入り放送番組を自動視聴可能にしているが、これは単に予告メッセージのみを表示するだけでもよい。この場合に、お気に入り登録した放送番組の放送開始時間の直前に最終の予告メッセージを表示し、ユーザの操作によりテレビ視聴モードに設定してもよい。この場合には、ユーザの選択でテレビ視聴モードに入るので、異動先の最新の状況に応じてテレビ視聴するか否かを決定することができる。
【００５７】
また、電子番組表に基づきお気に入り登録や視聴予約に代えて、または加えて、新聞，雑誌等のテレビ欄に記載されているＧコードによってお気に入り登録または視聴予約してもよい。また、お気に入り登録や視聴予約の方法は上記のものに限られず、種々の方法により登録や視聴予約してよい。
【図面の簡単な説明】
【００５８】
【図１】本発明のデジタルカメラを前側から見た斜視図である。
【図２】デジタルカメラを後ろ側から見た斜視図である。
【図３】デジタルカメラの機能ブロック図である。
【図４】予告メッセージが表示されたモニタの表示画面の一例を示す正面図である。
【図５】視聴確認メッセージが表示されたモニタの表示画面の一例を示す正面図である。
【図６】撮影モード時の処理を示すフローチャートである。
【図７】再生モード時の処理を示すフローチャートである。
【図８】テレビ視聴モード時の処理を示すフローチャートである。
【図９】視聴予約モード時の処理を示すフローチャートである。
【符号の説明】
【００５９】
２  デジタルカメラ
３  カメラ本体
１３  レリーズボタン
１４  ズームボタン
１５  メニューボタン
１６  十字ボタン
１７  選択ボタン
２１  テレビ視聴ボタン
２２  視聴予約ボタン
２３  モニタ
６０  テレビチューナ
６４  視聴予約登録部
６５  予告部
６６  時計回路
６７  報知部
【図１】
2008187651.tif 000003
【図２】
2008187651.tif 000004
【図３】
2008187651.tif 000005
【図４】
2008187651.tif 000006
【図５】
2008187651.tif 000007
【図６】
2008187651.tif 000008
【図７】
2008187651.tif 000009
【図８】
2008187651.tif 000010
【図９】
2008187651.tif 000011